(57)【特許請求の範囲】
【請求項１】
高粘度状物を充填する容器に装着される高粘度状物充填用キャップにおいて、
容器口部に装着するための嵌合筒と、嵌合筒の内周側に連設して容器内部を密閉する隔壁とを備え、
隔壁には、プルリングが立設され、周縁の薄肉弱化部が破断されることにより注出口を形成する除去部が設けられており、
隔壁の下面全体が、容器内部側を頂点とする円錐面状に形成されているとともに、除去部の最下端部となる頂部に突出部が設けられており、
薄肉弱化部は、頂部を中心とする真円状をなし、
隔壁の下面に付着した高粘度状物は円錐面を滑り落ち、突出部を伝って容器内部に落下することを特徴とする高粘度状物充填用キャップ。
【請求項２】
隔壁の下面が、摩擦係数の小さい材料でコーティングされていることを特徴とする請求項１記載の高粘度状物充填用キャップ。
【発明の詳細な説明】
【技術分野】
【０００１】
本発明は、味噌やソースなどの高粘度状物を内容物として充填する容器に装着される高粘度状物充填用キャップに関するものであり、とくに抜栓したときに内容物が飛び散らないようにした高粘度状物充填用キャップに関するものである。
【背景技術】
【０００２】
流動性の内容物を充填した容器の口部に装着して内容物を密封し、その後プルリングなどで引っ張ることにより、内容物を密封している隔壁の一部を破断して抜栓し、内容物を注出する注出口を形成するキャップは、従来からよく知られている（例えば、特許文献１、２参照）。
【先行技術文献】
【特許文献】
【０００３】
【特許文献１】特開２００３−２４６３３８号公報
【特許文献２】特開２００９−１０７６７７号公報
【発明の概要】
【発明が解決しようとする課題】
【０００４】
しかしながら、上記特許文献１記載のキャップでは、味噌やソースなどの高粘度状物を充填する容器に装着した場合、注出口が開設される底壁１２が平坦な平面状を有しているため、高粘度の内容物が輸送時などの揺れによって容器内側の底壁１２下面に付着し、抜栓したときに付着した内容物が飛び散って衣服を汚す等の問題があった。
また、プルリング１８に指を入れるときに、底壁１２が平坦な平面状なので指を入れにくかった。そのためにプルリング１８を高く立設すると、その分だけキャップ全体の高さが高くなり、コストがかかるという問題があった。
【０００５】
上記特許文献２のように、注出口を形成する除去部７を設けた底壁１の中央付近だけ容器内側に向けて円弧状に突出させたものがあるが、除去部７の周縁を含めた底壁１の外周側は平面状をなしているため、この平面部分や円弧状突出部分の下端部には高粘度の内容物が付着しやすく、同様に抜栓したときに付着した内容物が飛び散って衣服を汚す等の問題があった。
また、底壁１の中央付近に容器内側に向けた円弧状突出部分があるため、底壁１が平面状である場合よりはプルリング１８に指を入れやすくはなっているが、それでも円弧状突出部分は底壁１の一部でしかないので充分ではなかった。
【０００６】
本発明は、上記問題を解決することを課題とし、抜栓時に内容物が飛び散ることがないように、容器内側のキャップ底面に内容物が付着しにくくするとともに、プルリングに指を入れやすくした高粘度状物充填用キャップを提供することを目的とする。
【課題を解決するための手段】
【０００７】
本発明は、上記の課題を解決するため、高粘度状物を充填する容器に装着される高粘度状物充填用キャップにおいて、容器口部に装着するための嵌合筒と、嵌合筒の内周側に連設して容器内部を密閉する隔壁とを備え、隔壁には、プルリングが立設され、周縁の薄肉弱化部が破断されることにより注出口を形成する除去部が設けられており、隔壁の下面全体が、容器内部側を頂点とする円錐面状に形成されているとともに、除去部の最下端部となる頂部に突出部が設けられており、薄肉弱化部は、頂部を中心とする真円状をなし、隔壁の下面に付着した高粘度状物は円錐面を滑り落ち、突出部を伝って容器内部に落下することを特徴とする構成を採用する。
また、本発明の高粘度状物充填用キャップの具体的実施形態として、隔壁の下面が、摩擦係数の小さい材料でコーティングされていることを特徴とする構成を採用する。
【発明の効果】
【０００８】
本発明の高粘度状物充填用キャップは、注出口を形成する除去部が容器内部側を頂点とする円錐面状に形成されているので、輸送時などに隔壁の容器内側の下面に高粘度の内容物が付着しても、付着した内容物は下方に傾斜した円錐面にそって落下しやすくなり、当該頂点付近から容器内部に落下するので、除去部の下面に内容物が付着した状態となることを防ぐことができる。
そのため、プルリングを引っ張って除去部を隔壁から分離して抜栓する際に、内容物が飛び散ることはない。
また、隔壁の除去部が容器内部側を頂点とする円錐面状に形成されているので、プルリングと除去部との間に広い空間が確保され、抜栓時に指を入れることが容易になり、キャップ全体の高さも低くすることができるので、コスト低減にも寄与する。
【０００９】
さらに、隔壁の下面全体が、容器内部側を頂点とする円錐面状に形成されている実施形態では、嵌合筒内周側の隔壁下面全体が下方に傾斜して、付着した内容物が落下しやすく、除去部周辺の隔壁下面にもとどまっていないから、抜栓したときに内容物が飛び散ることを一層防止できる。
また、プルリングのリング部分と隔壁上面との間にさらに広い空間が確保され、抜栓時に指を入れることが一層容易になる。
円錐面状に形成された除去部の最下端部に突出部を設けた実施形態では、下面に付着した内容物が円錐面にそって滑り落ち、円錐面の頂点である最下端部の突出部までくると、突出部を伝って先端から内容物が速やかに落下するので、抜栓したときに内容物が飛び散ることを一層よく防止できる。
また、除去部の周縁をなす薄肉弱化部が、頂部を中心とする真円状をなしている実施形態では、除去部の下面全体において付着する内容物を一層低減できる。
【図面の簡単な説明】
【００１０】
【図１】本発明の第１実施例である高粘度状物充填用キャップの閉状態を示す断面側面図である。
【図２】本発明の第１実施例である高粘度状物充填用キャップの開状態を示す図で、（ａ）は上面図、（ｂ）は断面側面図である。
【図３】本発明の第２実施例である高粘度状物充填用キャップの閉状態を示す断面側面図である。
【発明を実施するための形態】
【００１１】
次に、本発明の高粘度状物充填用キャップについて、実施例を示した図面を参照して説明する。
【実施例１】
【００１２】
図１および図２において、Ａは容器口部Ｙに装着するキャップ本体、Ｂはキャップ本体ＡにヒンジＣを介して開閉可能に取り付けられた上蓋である。
図１、２に示すように、キャップ本体Ａは、外周部位に容器口部Ｙと嵌合固定して装着するための嵌合筒１が設けられ、嵌合筒１の内周側には、容器内部とを仕切って内容物を密閉する隔壁２が連設され、隔壁２には、プルリング３によって抜栓されたときに除去され、高粘度状内容物が注出される注出口Ｓを形成する除去部４が形成されている。
【００１３】
嵌合筒１は、容器口部Ｙと係合する係合突部６を内周側に有する外筒７と、外筒７と容器口部Ｙを嵌合挟持するための間隙を隔てて垂設される内筒８とを具え、外筒７の外周には、ヒンジＣを連設する外周壁部５を所定の間隙を隔てて連設している。
嵌合筒１の上部には、上蓋Ｂと係合してキャップを閉状態とする蓋係合部９が設けられている。
【００１４】
外周壁部５の下端内周と外筒７の下端外周とは、ヒンジＣの反対側に設けられた連結片１０と、間隔をおいて複数配設された破断可能な弱化片１１とを介して連設されている。
係合突部６は、環状の突条であり、容器口部Ｙのくびれ部に嵌合してキャップを容器に固定している。
蓋係合部９は、嵌合筒１の上端周縁に設けられた環状の突条であり、後述する上蓋Ｂの係合凹部２３に係合可能となっている。
【００１５】
嵌合筒１に隣接した隔壁２の上面には、容器に充填されている内容物を注出するときに、内容物を注出方向に案内する注出筒１２が設けられている。
注出筒１２の内周側の隔壁２には、除去部４の周縁を形成する破断可能な薄肉弱化部１３が設けられている。
除去部４は、プルリング３と支柱部１４を介して一体とされていて、プルリング３が引っ張られると、薄肉弱化部１３が破断して注出口Ｓを開口し、抜栓された後はプルリング３とともに除去される。
【００１６】
隔壁２は、その下面が、嵌合筒１の内筒８の上部から下方に傾斜した円錐面を形成する円錐面状とされ、中央付近に容器内側に向けた円錐面の頂部１５を形成している。
隔壁２の一部をなす除去部４も、当該円錐面に沿った円錐面状に形成されており、その周縁をなす薄肉弱化部１３は頂部１５を中心とする真円状をなしている。
また、隔壁２の頂部１５の下部、すなわち隔壁２の最下端部は、嵌合筒１の下端より下方に突出しないように配置されている。
【００１７】
上蓋Ｂは、頂壁２０と側周壁２１を具え、頂壁２０下面には、注出筒１２の上端部に係合する密封リング２２が垂設されており、側周壁２１の下端部内周には、キャップ本体Ａの蓋係合部９と係合する係合凹部２３が凹設されている。
側周壁２１の下端部外周には、ヒンジＣの反対側に摘み片２４が配設され、側周壁２１の下端面には、キャップ本体Ａの外周壁部５と外筒７との間隙に嵌挿される弧状壁２５が垂設されている。
【００１８】
キャップ本体ＡのヒンジＣと反対側における外周壁部５には、不正開封防止機構が具えられており、上蓋Ｂの摘み片２４に係合する封印係止部３１を有する封印板３０が外周壁部５の上端に連設されている。
封印板３０は、摘み片２４の外周縁に沿って形成された外周部３４を有し、外周部３４の上部中央に封印係止部３１が設けられ、封印係止部３１の内周縁に封印係止片３５が垂設され、摘み片２４の上部に突出した係止片２６と係合するようになっている。
封印板３０の外周部３４下端から底板３２が連設されており、底板３２は、摘み片２４の下面に位置するように、平面視で封印係止部３１の両側に配設され、複数の弱化連結片３３により外周壁部５に連設されている。
【００１９】
次に、本実施例の使用態様と作用効果について説明する。
本実施例の高粘度状物充填用キャップは、上蓋Ｂを閉じ、不正開封防止機構によってキャップ本体Ａと上蓋Ｂを封印した状態で、高粘度状物が充填された容器の口部Ｙに嵌合筒１を嵌合し打栓すると、容器口部Ｙに係合突部６が係合して容器に装着される。
【００２０】
上蓋Ｂを閉じる際には、摘み片２４によって封印係止部３１が外方に移動させられるとともに、封印板３０は弱化連結片３３が屈曲して廻動させられる。
さらに上蓋Ｂを押圧すると、封印係止部３１の封印係止片３５が摘み片２４の係止片２６を乗り越えて係合し、封印板３０が復元して上蓋Ｂとキャップ本体Ａとが封印されるとともに、上蓋Ｂの係合凹部２３がキャップ本体Ａの蓋係合部９に係合して上蓋Ｂが閉じられる。
【００２１】
図１に示されるように、容器口部Ｙに装着された高粘度状物充填用キャップは、キャップ本体Ａの嵌合筒１の内筒８と隔壁２の下面が容器内部に面している。
隔壁２の下面は、内筒８の内周側から容器内部に向けて円錐面状をなしている。当該円錐面の頂部１５は、容器の中心付近に配置されることが望ましい。
容器内部に充填された高粘度状内容物は、輸送等の際に揺られることによってキャップの隔壁２の下面に付着することがあるが、隔壁２の下面は容器内部側に向けて傾斜した円錐面状をなしているので、付着した内容物は当該円錐面をすべり、頂部１５付近から容器内部に落下する。
したがって、粘着性の強い高粘度状内容物が隔壁２の下面に付着しても、短時間のうちに容器内部に落下するので、隔壁２の下面に内容物が付着した状態は長くは続かない。
【００２２】
本実施例の高粘度状物充填用キャップを開封するときは、封印板３０を廻動させて封印係止部３１と摘み片２４との係合を解除するとともに、弱化連結片３３を切断して封印板３０を除去する。
次いで、上蓋Ｂの摘み片２４を押し上げ、上蓋Ｂの係合凹部２３とキャップ本体Ａの蓋係合部９との係合を解除して、上蓋Ｂを開く。
そして、プルリング３に指を入れて引っ張ると、支柱部１４を介して一体に形成された除去部４が、その周囲の薄肉弱化部１３を破断しながら抜栓され、隔壁２から分離除去されて注出口Ｓが形成される。
【００２３】
本実施例の高粘度状物充填用キャップは、隔壁２の下面が容器内部側を頂点とする円錐面状に形成されているので、付着した内容物が下方に傾斜した円錐面にそって落下しやすくなり、除去部４およびその周辺の下面に内容物が付着した状態となることを防ぐので、抜栓時に内容物が飛び散って衣服を汚すようなことはない。
また、プルリング３と隔壁２との間に広い空間が確保され、抜栓時に指を入れることが容易になり、キャップ全体の高さも低くすることができるので、コストを低減することもできる。
【００２４】
本実施例では、隔壁２の下面全体が、容器内部側を頂点とする円錐面状に形成されているが、少なくとも除去部４の下面が円錐面状に形成されていれば、除去部４の下面に付着する内容物を低減できるから、抜栓時に内容物が飛び散ることを有効に防止することができる。
また、本実施例のように、除去部４の周縁をなす薄肉弱化部１３が真円状に形成されていると、除去部４の下面全体において付着する内容物を一層低減できる。
さらに、付着した高粘度状内容物が滑り落ちやすいように、隔壁２の下面を摩擦係数の小さい材料でコーティングするなどの工夫がされてよい。
【００２５】
本実施例は、開閉機構としてヒンジＣを有するヒンジキャップを採用したが、本発明の高粘度状物充填用キャップは、必ずしもヒンジキャップに限らず、螺子などの他の開閉機構であっても、隔壁２にプルリング３により抜栓される除去部４が形成されたキャップであれば広く適用可能である。
また、本実施例では不正開封防止機構を設けたので、不正開封が行われたときには封印板３０が除去されるなど、外部から不正開封を視認することができるが、本発明の高粘度状物充填用キャップには必ずしも必要ではない。
【実施例２】
【００２６】
次に、付着した高粘度状内容物がさらに落下しやすいように工夫し、隔壁２の頂部１５の構成を変更した第２実施例について説明する。
第２実施例は、上記変更した隔壁２の頂部１５の構成以外に第１実施例と差異はないので、以下、第１実施例と同一の構成部分には同一の符号を付して図示し、当該変更点を中心に説明する
【００２７】
図３において、隔壁２は第１実施例と同様に、下面が、嵌合筒１の内筒８の上部から下方に傾斜した円錐面を形成する円錐面状とされ、中央付近に容器内側に向けた当該円錐面の頂部１５を形成している。
そして、頂部１５は、同時に除去部４の最下端部を形成しているが、当該最下端部に突出部１６を設けており、その先端は尖頭状をなしている。
【００２８】
本実施例では、隔壁２の下面に付着した内容物が傾斜した円錐面を滑り落ち、中央付近の頂部１５の下部、すなわち除去部４の最下端部までくると、突出部１６を伝って速やかに容器内部に落下する。
したがって、内容物が付着してもすぐに滑り落ちてしまうので、除去部４の下面への付着を防止することができるから、抜栓時に内容物が飛び散ることを一層確実に防止することができる。
【産業上の利用可能性】
【００２９】
本発明の高粘度状物充填用キャップは、高粘度状物を充填する容器であれば適用可能であるが、特に味噌やソースなどの高粘度状内容物を逐次注出して使用する容器に適用して好適である。
【符号の説明】
【００３０】
Ａ          キャップ本体
Ｂ          上蓋
Ｃ          ヒンジ
Ｓ          注出口
Ｙ          容器口部
１          嵌合筒
２          隔壁
３          プルリング
４          除去部
５          外周壁部
６          係合突部
７          外筒
８          内筒
９          蓋係合部
１０          連結片
１１          弱化片
１２          注出筒
１３          薄肉弱化部
１４          支柱部
１５          頂部
１６          突出部
２０          頂壁
２１          側周壁
２２          密封リング
２３          係合凹部
２４          摘み片
２５          弧状壁
２６          係止片
３０          封印板
３１          封印係止部
３２          底板
３３          弱化連結片
３４          外周部
３５          封印係止片
【図１】
0005912225.tif 000002
【図２】
0005912225.tif 000003
【図３】
0005912225.tif 000004